(57)【要約】【課題】ファインダ表示装置の接眼光学部材に付着した塵埃を除去することができるファンダ表示装置及びそれを備えたデジタルカメラを提供する。【解決手段】ＥＶＦパネル２１の画面前方に保護ガラス２３を配置し、保護ガラス２３に振動を与える圧電素子２４を装着した。【選択図】図１
2013187676.tif 000002
【特許請求の範囲】
【請求項１】
ファインダ用画像出力装置と、
前記ファインダ用画像出力装置の画面前方に配置された接眼光学部材と、
前記接眼光学部材に装着され、前記接眼光学部材に振動を与える振動付与部材と
を備えていることを特徴とするファインダ表示装置。
【請求項２】
前記接眼光学部材は、前記ファインダ用画像出力装置から離して配置されていることを特徴とする請求項１記載のファインダ表示装置。
【請求項３】
前記ファインダ用画像出力装置と前記接眼光学部材とが密閉空間を介して対向していることを特徴とする請求項１又は２記載のファインダ表示装置。
【請求項４】
請求項１〜３のいずれか１項記載のファインダ表示装置を備えたデジタルカメラであって、
撮像素子の光路上に配置された光学部材に振動を与える撮像側振動付与部材と、
前記振動付与部材及び前記撮像側振動付与部材に電力を供給する電源と
を備えていることを特徴とするデジタルカメラ。
【請求項５】
前記振動付与部材及び前記撮像側振動付与部材はいずれも圧電素子であり、
前記両方の圧電素子にそれぞれ同じ周波数の電圧が印加されることを特徴とする請求項４記載のデジタルカメラ。
【請求項６】
前記接眼光学部材は透明な平板であり、前記接眼光学部材の厚さと前記光学部材の厚さとが同じであることを特徴とする請求項５記載のデジタルカメラ。
【請求項７】
前記光学部材は光学ローパスフィルタであることを特徴とする請求項４〜６のいずれか１項記載のデジタルカメラ。
【発明の詳細な説明】
【技術分野】
【０００１】
この発明はファインダ表示装置及びそれを備えたデジタルカメラに関する。
【背景技術】
【０００２】
塵埃によるＥＶＦパネルの画質の劣化を防ぐ従来技術として、ＥＶＦパネルと、ＥＶＦパネルへの入射光及びＥＶＦパネルからの出射光の光路上に配置されたプラスチック板に貼り合わせた偏光板と、ＥＶＦパネルへの入射光及びＥＶＦパネルからの出射光の光路領域に開口が形成された筐体とを備える液晶表示装置が、知られている（下記特許文献１参照）。この液晶表示装置では、ＥＶＦパネルと偏光板とが、筐体及び偏光板により形成された略密閉空間内に、離間して配置されている。
【先行技術文献】
【特許文献】
【０００３】
【特許文献１】特開平２００５−２０８４９２号公報（段落００２４、図１等参照）
【発明の概要】
【発明が解決しようとする課題】
【０００４】
上述の液晶表示装置では、筐体及び偏光板により形成された略密閉空間に侵入した塵埃や、その略密閉空間内で発生した塵埃が偏光板に付着すると、その塵埃を除去できないという問題があった。
【０００５】
この発明はこのような事情に鑑みてなされたもので、その課題は、光学部材に付着した塵埃を除去することができる液晶表示装置及びそれを備えたデジタルカメラを提供することである。
【課題を解決するための手段】
【０００６】
前述の課題を解決するため請求項１記載の発明は、ファインダ用画像出力装置と、前記ファインダ用画像出力装置の画面前方に配置された接眼光学部材と、前記接眼光学部材に装着され、前記接眼光学部材に振動を与える振動付与部材とを備えていることを特徴とする。
【０００７】
請求項２記載の発明は、請求項１記載のファインダ表示装置において、前記接眼光学部材は、前記ファインダ用画像出力装置から離して配置されていることを特徴とする。
【０００８】
請求項３記載の発明は、請求項１又は２記載のファインダ表示装置において、前記ファインダ用画像出力装置と前記接眼光学部材とが密閉空間を介して対向していることを特徴とする。
【０００９】
請求項４記載の発明は、請求項１〜３のいずれか１項記載のファインダ表示装置を備えたデジタルカメラであって、撮像素子の光路上に配置された光学部材に振動を与える撮像側振動付与部材と、前記振動付与部材及び前記撮像側振動付与部材に電力を供給する電源とを備えていることを特徴とする。
【００１０】
請求項５記載の発明は、請求項４記載のデジタルカメラにおいて、前記振動付与部材及び前記撮像側振動付与部材はいずれも圧電素子であり、前記両方の圧電素子にそれぞれ同じ周波数の電圧が印加されることを特徴とする。
【００１１】
請求項６記載の発明は、請求項５記載のデジタルカメラにおいて、前記接眼光学部材は透明な平板であり、前記接眼光学部材の厚さと前記光学部材の厚さとが同じであることを特徴とする。
【００１２】
請求項７記載の発明は、請求項４〜６のいずれか１項記載のデジタルカメラにおいて、前記光学部材は光学ローパスフィルタであることを特徴とする。
【発明の効果】
【００１３】
この発明によれば、光学部材に付着した塵埃を除去することができる。
【図面の簡単な説明】
【００１４】
【図１】図１はこの発明の一実施形態のデジタルスチルカメラの構成を示す概念図である。
【発明を実施するための形態】
【００１５】
以下、この発明の実施の形態を図面に基づいて説明する。
【００１６】
図１に示すように、デジタルスチルカメラ（デジタルカメラ）１００はカメラ本体１０とカメラ本体１０に接続された対物レンズ６０とを備える。
【００１７】
カメラ本体１０の筐体１０ａにはファインダ表示装置２０が収容されている。
【００１８】
ファインダ表示装置２０は、ＥＶＦ（電子ビューファインダ）パネル（ファインダ用画像出力装置）２１とファインダ光学系レンズ２２と保護ガラス（接眼光学部材）２３と圧電素子（振動付与部材）２４とパッケージ２５とで構成されている。
【００１９】
ＥＶＦパネル２１は後述する対物光学系レンズ６２によって撮像センサ３１（撮像素子）上に結像された被写体の像と同じ像を表示する。
【００２０】
ファインダ光学系レンズ２２はＥＶＦパネル２１と保護ガラス２３との間に配置されている。ファインダ光学系レンズ２２はＥＶＦパネル２１に表示された画像を拡大する。
【００２１】
保護ガラス２３は透明な平板であり、ＥＶＦパネル２１の前方に位置している。保護ガラス２３とＥＶＦパネル２１とは対向している。保護ガラス２３はＥＶＦパネル２１から所定間隔離れている。保護ガラス２３の材料は例えば水晶である。
【００２２】
保護ガラス２３の一方の面（ファインダ光学系レンズ２２側の面）には圧電素子２４が装着されている。圧電素子２４は保護ガラス２３に振動を与える。
【００２３】
パッケージ２５はＥＶＦパネル２１、ファインダ光学系レンズ２２及び保護ガラス２３を収容する。パッケージ２５はほぼ筒状であり、パッケージ２５の一端はＥＶＦパネル２１によって閉塞され、パッケージ２５の他端は保護ガラス２３によって閉塞されている。ＥＶＦパネル２１と保護ガラス２３とは密閉空間Ｓを介して対向し、ファインダ光学系レンズ２２は密閉空間Ｓに位置している。保護ガラス２３の他方の面（筐体１０ａの外部に露出する側の面）は筐体１０ａに形成された窓孔（図示せず）を通じて筐体１０ａの外部に露出している。
【００２４】
筐体１０ａ内のファインダ表示装置２０の下方には撮像センサ３１（例えば、ＣＣＤやＣＭＯＳ等）と光学ローパスフィルタ（光学部材）３２とが収容されている。
【００２５】
撮像センサ３１は対物光学系レンズ６２の光軸上に配置されている。
【００２６】
光学ローパスフィルタ３２は撮像センサ３１の光路上に配置されている。この実施形態では、光学ローパスフィルタ３２の板厚寸法は保護ガラス２３の板厚寸法と同じであり、光学ローパスフィルタ３２の材料は保護ガラス２３の材料と同じである。
【００２７】
光学ローパスフィルタ３２には圧電素子（撮像側振動付与部材）３３が装着されている。圧電素子３３は光学ローパスフィルタ３２に振動を与える。
【００２８】
圧電素子２４，３３は電線４０ａ，４０ｂを介して筐体１０ａ内の電源４０に接続されている。
【００２９】
対物レンズ６０は筐体１０ａに装着されている。
【００３０】
デジタルスチルカメラ１００の電源スイッチ（図示せず）を入れると、圧電素子２４，３３に電圧が印加され、圧電素子２４，３３が振動する。この実施形態では、圧電素子２４，３３は１つの電源４０によって駆動される。電源４０から圧電素子２４，３３に印加される電圧の周波数は同じである。
【００３１】
圧電素子２４が振動すると、保護ガラス２３に振動が伝わり、保護ガラス２３に付着した塵埃が振り落とされる。
【００３２】
同様に、圧電素子３３が振動すると、光学ローパスフィルタ３２に振動が伝わり、光学ローパスフィルタ３２に付着した塵埃が振り落とされる。もし保護ガラス２３に微小な塵埃が残ったとしても、ＥＶＦパネル２１と保護ガラス２３とは所定距離離れているので、塵埃は目立たず、画質はほとんど劣化しない。
【００３３】
圧電素子２４，３３に印加される電圧の周波数は同じであり、光学ローパスフィルタ３２の板厚寸法と保護ガラス２３の板厚寸法とも同じであるので、光学ローパスフィルタ３２の振動周波数と保護ガラス２３の振動周波数とはほぼ同じになる。
【００３４】
この実施形態によれば、圧電素子２４によって保護ガラス２３を振動させることにより、デジタルスチルカメラ１００の使用時に、パッケージ２５内に侵入して保護ガラス２３に付着した塵埃や、パッケージ２５内で発生して保護ガラス２３に付着した塵埃を振り落とすことができる。
【００３５】
更に、圧電素子３３により光学ローパスフィルタ３２を振動させることによって光学ローパスフィルタ３２に付着した塵埃も振り落とすことができる。
【００３６】
また、ＥＶＦパネル２１と保護ガラス２３とがパッケージ２５によって形成された密閉空間Ｓを介して対向しているので、ＥＶＦパネル２１や保護ガラス２３に塵埃が付着しにくい。
【００３７】
この実施形態では、保護ガラス２３や光学ローパスフィルタ３２の振動付与部材として圧電素子２４，３３を採用したので、保護ガラス２３や光学ローパスフィルタ３２の振動周波数を所望の振動周波数にするのが容易であり、保護ガラス２３や光学ローパスフィルタ３２に付着した塵埃を確実に振り落とすことができる。
【００３８】
また、保護ガラス２３や光学ローパスフィルタ３２の振動付与部材としてスピーカ（図示せず）を採用することも考えられるが、スピーカでは保護ガラス２３や光学ローパスフィルタ３２の振動周波数を所望の振動周波数にするのが困難であり、保護ガラス２３や光学ローパスフィルタ３２に付着した塵埃を確実に振り落とすことができないが、この実施形態では圧電素子２４，３３を採用したのでそのような問題は生じない。
【００３９】
更に、振動付与部材としてスピーカを利用したものと較べ、スピーカから発せられる音を筐体１０ａの外部へ出すために筐体１０ａに孔（図示せず）を開ける必要がないので、筐体１０ａ内に塵埃が侵入しにくい。
【００４０】
また、保護ガラス２３の振動周波数と光学ローパスフィルタ３２の振動周波数とがほぼ同じになるように、それらの厚みを同じにしたので、１つの電源４０で２つの圧電素子２４，３３を駆動することができ、デジタルスチルカメラ１００の構成を簡素にすることができる。
【００４１】
なお、この実施形態では、ＥＶＦパネル２１と保護ガラス２３とがパッケージ２５によって形成された密閉空間Ｓを介して対向しているが、必ずしもＥＶＦパネル２１と保護ガラス２３とを密閉空間を介して配置する必要はない。
【００４２】
また、この実施形態では、ファインダ表示装置２０をデジタルスチルカメラ１００に適用したが、この発明のファインダ表示装置をデジタルビデオカメラに適用することもできる。
【００４３】
なお、この実施形態では、保護ガラス２３の厚さ及び材質と光学ローパスフィルタ３２の厚さ及び材質とを同じにし、共通の電源４０から同じ周波数の電圧を圧電素子２４，３３に印加して、保護ガラス２３の振動周波数と光学ローパスフィルタ３２の振動周波数とをほぼ同じにしたが、必ずしも保護ガラス２３の振動周波数と光学ローパスフィルタ３２の振動周波数とをほぼ同じにする必要はない。例えば、保護ガラス２３の厚さと光学ローパスフィルタ３２の厚さとを異ならせたり、保護ガラス２３の材料と光学ローパスフィルタ３２の材料とを異ならせたりして、保護ガラス２３の振動周波数と光学ローパスフィルタ３２の振動周波数とを異ならせるようにしてもよい。
【００４４】
また、この実施形態では、振動付与部材として圧電素子２４，３３を用いたが、振動付与部材は圧電素子に限られない。
【００４５】
なお、接眼光学部材としては保護ガラス２３に限られず、例えば、接眼レンズでもよい。
【００４６】
また、この実施形態では、撮像センサ３１の光路上に光学部材として光学ローパスフィルタ３２が配置されているが、光学部材は光学ローパスフィルタ３２に限られない。
【００４７】
なお、この実施形態では、デジタルスチルカメラ１００の電源スイッチが入ったときに、圧電素子２４，３３を振動させるようにしたが、ファインダ表示装置２０に顔が近付いたことを検知するセンサを筐体１０ａの背面に設け、このセンサの出力信号に基づき圧電素子２４，３３を振動させるようにしてもよい。また、塵埃除去用の専用スイッチを操作したときに圧電素子２４，３３を振動させるようにしてもよい。
【符号の説明】
【００４８】
１００：デジタルスチルカメラ（デジタルカメラ）、１０：カメラ本体、１０ａ：筐体、２０：ファインダ表示装置、２１：ＥＶＦパネル（ファインダ用画像出力装置）、２２：ファインダ光学系レンズ、２３：保護ガラス（接眼光学部材）、２４：圧電素子（振動付与部材）、２５：パッケージ、３１：撮像センサ（撮像素子）、３２：光学ローパスフィルタ（光学部材）、３３：圧電素子（撮像側振動付与部材）、４０：電源、４０ａ，４０ｂ：電線、６０：対物レンズ、６２：対物光学系レンズ、Ｅ：目。
【図１】
2013187676.tif 000003